(57)【特許請求の範囲】
【請求項１】
ガス漏れ警報器の信号を検出するため駆動信号を出力する警報信号間欠駆動手段と、ガス漏れ警報器が接続されているかを検出するための駆動信号を出力する警報器接続検知間欠駆動手段と、前記警報信号間欠駆動手段と前記警報器接続検知間欠駆動手段の出力信号の確認を行う駆動信号判定手段と、前記警報信号間欠駆動手段により駆動信号出力時ガス漏れ警報器からの信号を入力する警報信号入力手段と、前記警報器接続検知間欠駆動手段より駆動信号出力時警報器接続信号を入力する警報器接続入力手段と、前記警報信号入力手段よりガス漏れの有無を判定するガス漏れ判定手段と、前記警報器接続入力手段の出力信号より警報器接続を判定すると共に前記駆動信号判定手段より駆動出力信号無と判定した時異種警報器接続の有無を判定する警報器接続判定手段と、前記警報器接続判定手段で異種警報器接続と判定すると媒体流路を遮断する遮断手段とを備えたガス遮断装置。
【請求項２】
ガス漏れ警報器の信号を検出するため駆動信号を出力する警報信号間欠駆動手段と、ガス漏れ警報器が接続されているかを検出するための駆動信号を出力する警報器接続検知間欠駆動手段と、前記警報信号間欠駆動手段と前記警報器接続検知間欠駆動手段の出力信号の確認を行う駆動信号判定手段と、前記警報信号間欠駆動手段により駆動信号出力時ガス漏れ警報器からの信号を入力する警報信号入力手段と、前記警報器接続検知間欠駆動手段より駆動信号出力時警報器接続信号を入力する警報器接続入力手段と、前記警報信号入力手段よりガス漏れの有無を判定するガス漏れ判定手段と、前記警報器接続入力手段の出力信号より警報器接続を判定すると共に前記駆動信号判定手段より駆動信号が出力無と判定した時異種警報器接続の有無を判定する警報器接続判定手段と、前記警報器接続判定手段で判定した異種警報器接続の報知を行う警告通報手段とを備えたガス遮断装置。
【発明の詳細な説明】
【０００１】
【発明の属する技術分野】
本発明は、ガス漏れを検出して警報を発する警報器を続して使用するガス遮断装置に関する。
【０００２】
【従来の技術】
従来のこの種のガス遮断装置に接続される警報器として、例えば特開平６−１１１１６１号公報に示されるような警報器があり、図３の構成になっていた。
【０００３】
図３において、ガスメータ１とガス漏れ警報器２とは２本の信号線３を介して接続されている。ガス漏れ警報器２は、ガス漏れを検知するガス検知部４、全体をコントロールする警報器制御部５、ガス漏れ警報を発する警報部６、及び入出力部７とで構成されている。その入出力部７はガス漏れ検知時ONされるフォトカプラ８とガス漏れ検知時とは逆方向に電流を流す電流路を形成するようにフォトカプラ８のフォトトランジスタ８ａに接続されたダイオード９とで構成されている。又、ガスメータ１はガスを計量する計量部１０、全体をコントロールするガスメータ制御部１１、遮断弁１２、ガス漏れの有無及び接続の有無を判定する判定部１３で構成されている。
【０００４】
次に上記従来例の構成の動作を説明する。ガス漏れ警報器２がガス漏れを検知していない時は、フォトカプラ８はオフであるため、即ちフォトカプラ８のフォトトランジスタ８ａはオフであるため、ａ方向の電流路が生じておらず、ガスメータ１の判定部１３はガス漏れ無しと判定する。又判定部１３は、ガス漏れ無しの時ダイオード９を介するｂ方向の電流路が生じているか否かも定期的に判定する。もしｂ方向の電流路が生じていない時は、ガス漏れ警報器２が接続されていないと判断して遮断弁１２を閉じる。
【０００５】
一方、ガス漏れ警報器２として前述のフォトトランジスタ８でガスメータ１と接続されるインターフェース回路を有さず、ガス漏れ検知時と非ガス漏れ検知時とで異なった電圧出力を行う警報器があり、図４に一例を示す。図４において、１５はガス漏れ警報器で、室内の所定位置に設置される。１４はガス遮断器で、ガスメータに組み込まれる。１２はガス遮断弁で、ガスメータ内に設置される。このシステムはガス漏れ警報器２とガス遮断器１４と組み合わせて、ガス漏れ時にガスを遮断するもので、ガス漏れが検知されてから一定時間経過後ガスメータに内蔵されたガス遮断弁１２を閉じるものである。即ちガス遮断器１４はガス漏れ警報器２に接続される２つの端子間に接続され、端子間の電圧は通常ガス漏れ警報器２がガス漏れを検出していない時第１の電圧レベル、例えば６Ｖ位であるが、ガス漏れ警報器２がガス漏れを検出すると端子間の電圧が所定の第２の電圧レベル、例えば１２Ｖとなり、ガス遮断弁１２を駆動可能な電圧レベルとなってガス遮断弁１２を閉じる。
【０００６】
【発明が解決しようとする課題】
上記従来の構成では、ガスメータ１に接続されるガス漏れ警報器２がフォトカプラ８を介してガス漏れ信号の受け渡しをガスメータ１側に行う構成になっており、市場で間違ってガス漏れ時電圧出力を行うガス漏れ警報器２が接続される場合がある。このように間違って電圧出力タイプのガス漏れ警報器２が接続されると、ガス漏れ発生時本来フォトカプラ８がオン状態となって検出するが、電圧が印加されるだけでガス漏れを検出できず、かつ本来ガスメータ１で使用する以上の高い電圧が印加されるためガスメータ１側の制御部１１、判定部１３等周辺回路部で常時オン状態となる部分が発生し、ガスメータ１の電源である電池の消耗が著しくなり、本来安全監視を行うべき所定期間より短い期間で電池電圧が低下し安全監視を行えなくなるという課題を有していた。
【０００７】
本発明は上記課題を解決するもので、ガス遮断装置に本来接続されるガス漏れ警報器以外の異なった、例えば電圧出力をガス漏れ信号として出力するガス漏れ警報器が接続された場合、これを検出することのできるガス遮断装置を提供することを目的としたものである。
【０００８】
【課題を解決するための手段】
この課題を解決するために本発明は、ガス漏れ警報器が接続されているかを検出するための駆動信号を出力する警報信号間欠駆動手段に、警報器接続検知間欠駆動手段より駆動信号出力時警報器接続信号を入力する警報器接続入力手段で、ガス漏れ警報器接続を判定すると共に、駆動信号判定手段で警報信号間欠駆動手段と警報器接続検知間欠駆動手段の出力信号無判定時、警報器接続入力手段からの出力信号より警報器接続検知信号の確認を行い、即ち異種警報器接続の有無を警報器接続判定手段で判定し、警報器接続判定手段で異種警報器接続と判定すると媒体流路を遮断手段で遮断する構成にしている。
【０００９】
このことにより、ガス遮断装置により異常使用検知時流路を遮断し再度ガス器具を使用可能な状態か或いはガス漏洩状態かを素早く判定でき、ガス漏洩状態ならば即遮断でき、ガス漏れのない配管状態か或いはガス器具が正常な設定状態に戻っているかを正確に判断でき、かつ使用状態を監視でき、漏洩状態であるのに漏れの判定に長時間要することなく生ガスの漏れを早期に防止できる。
【００１０】
【発明の実施の形態】
本発明の第１の実施形態は上記目的を達成するため、ガス漏れ警報器の信号を検出するため駆動信号を出力する警報信号間欠駆動手段と、ガス漏れ警報器が接続されているかを検出するための駆動信号を出力する警報器接続検知間欠駆動手段と、前記警報信号間欠駆動手段と前記警報器接続検知間欠駆動手段の出力信号の確認を行う駆動信号判定手段と、前記警報信号間欠駆動手段により駆動信号出力時ガス漏れ警報器からの信号を入力する警報信号入力手段と、前記警報器接続検知間欠駆動手段より駆動信号出力時警報器接続信号を入力する警報器接続入力手段と、前記警報信号入力手段よりガス漏れの有無を判定するガス漏れ判定手段と、前記警報器接続入力手段の出力信号より警報器接続を判定すると共に前記駆動信号判定手段より駆動出力信号無と判定した時異種警報器接続の有無を判定する警報器接続判定手段と、前記警報器接続判定手段で異種警報器接続と判定すると媒体流路を遮断する遮断手段とからなる。
【００１１】
そしてガス漏れ警報器をガス遮断装置に接続された時、駆動信号判定手段より警報信号間欠駆動手段と警報器接続検知間欠駆動手段とから駆動信号が出力されていないと判定時警報器接続入力手段より出力される信号を警報器接続判定手段で異種警報器接続か否かを判定するので、一方警報器接続検知間欠駆動手段でガス漏れ警報器を駆動した時、警報器接続入力手段で警報器接続判定を行うが、電圧出力を行う異種警報器が接続された時も同様な警報器接続信号が出力されるが、駆動信号判定手段により警報信号間欠駆動手段と及び警報器接続検知間欠駆動手段を駆動停止している時に警報器接続入力手段より信号を入力すると本来非警報器接続信号レベルが入力されるのに対し警報器接続有信号が出力され、警報器接続判定手段で異種警報器と判定できガス流路を遮断し報知するのでガス需要家及びガス事業者にガス漏れ警報器接続異常を警告報知でき、常に警報器接続を含めガス漏れ等の異常監視を正確に行え信頼性や安全性が向上する。
【００１２】
また本発明の第２の実施形態は上記目的を達成するため、ガス漏れ警報器の信号を検出するため駆動信号を出力する警報信号間欠駆動手段と、ガス漏れ警報器が接続されているかを検出するための駆動信号を出力する警報器接続検知間欠駆動手段と、前記警報信号間欠駆動手段と前記警報器接続検知間欠駆動手段の出力信号の確認を行う駆動信号判定手段と、前記警報信号間欠駆動手段により駆動信号出力時ガス漏れ警報器からの信号を入力する警報信号入力手段と、前記警報器接続検知間欠駆動手段より駆動信号出力時警報器接続信号を入力する警報器接続入力手段と、前記警報信号入力手段よりガス漏れの有無を判定するガス漏れ判定手段と、前記警報器接続入力手段の出力信号より警報器接続を判定すると共に前記駆動信号判定手段より駆動信号が出力無と判定した時異種警報器接続の有無を判定する警報器接続判定手段と、前記警報器接続判定手段で判定した異種警報器接続の報知を行う警告通報手段とからなる。
【００１３】
そしてガス漏れ警報器をガス遮断装置に接続された時、駆動信号判定手段より警報信号間欠駆動手段及び警報器接続検知間欠駆動手段から駆動出力信号無を検出時、警報器接続入力手段より出力される信号を警報器接続判定手段で異種警報器か否かを判定するので、通常異種警報器検知信号が出力されず警報器接続検知間欠駆動手段でガス漏れ警報器を駆動した時、警報器接続入力手段で警報器接続判定を行うが、電圧出力を行う異種警報器が接続された時も同様な警報器接続信号が出力されるが、駆動信号判定手段により警報信号間欠駆動手段及び警報器接続検知間欠駆動手段とが駆動停止しているのを検出時に警報器接続入力手段より信号を入力すると本来非警報器接続信号レベルが入力されるのに対し、警報器接続有信号が出力されるが警報器接続判定手段で異種警報器と判定することができかつ警告報知手段で警報報知するのでガス需要家及びガス事業者にガス漏れ警報器接続異常を警告報知でき、常に警報器接続を含めガス漏れ等の異常監視を正確に行え信頼性や安全性が向上する。
【００１４】
【実施例】
以下、本発明の第１及び第２の実施例を図１、図２を参照して説明する。図１、図２、において、図３、図４と同一機能を有する構成要素に関しては同一番号を付した。
【００１５】
（実施例１)
図１は本発明の第１の実施例のガス遮断装置で、ガス遮断装置３０にガス漏れ警報器２が信号線３を経由し端子台２８を介して接続されている。以下このガス遮断装置３０を説明していく。１６は警報信号間欠駆動手段で、所定時間毎駆動信号を端子台１５の＋端子を介し、更に信号線３を介してガス漏れ警報器２のフォトカプラ８に供給する。１７は警報器信号入力手段で、警報信号間欠駆動手段１６で駆動信号をガス漏れ警報器２に供給すると、ガス漏れ警報器２よりガス漏れ信号の有無信号が出力されこれを検出する。１８はガス漏れ判定手段で、警報信号入力手段１７で検出したガス漏れ信号の有無信号よりガス漏れがあるか否かを判定する。ガス漏れと判定した時、遮断手段２７に遮断信号を出力する。
【００１６】
１９は警報器接続検知間欠駆動手段で、ガス漏れ警報器２の接続有無を検出するための駆動信号を出力する。２０は警報器接続入力手段で、警報器接続検知間欠駆動手段１９により駆動信号が出力された時、ガス漏れ警報器２より警報器接続の有無信号を検出する。２１は警報器接続判定手段で、警報器接続入力手段２０でガス漏れ警報器２接続有無信号が出力されるとガス漏れ警報器２の接続判定を行う。２２は異常判定手段で、警報器接続判定手段２１で判定した警報器接続か、警報器未接続かの信号でガス器具の使用時間の遮断判定レベルを変更する。２３は駆動信号判定手段で、定期的に接続された警報器が本来接続されるべきものかを確認するためのもので、定期的に警報信号間欠駆動信号１６及び警報器接続検知間欠駆動手段１９より駆動信号が出力状態か、また非出力状態かを判定する。２４は報知手段で、遮断した内容を警告表示する。更に電話回線等を利用してガス事業者へガス漏れ警報器接続異常通知を行い、メンテナンス対応を要求する。２５は流量検出手段で、使用ガス器具のガス流量を検出し異常判定手段２２に出力する。
【００１７】
次に上記構成の動作を説明する。ガス遮断装置３０を設置する時等に、ガス漏れ警報器２を台所やストーブ等を使用する場所のガス漏れ監視として設置し、信号線３でガス遮断装置３０の端子台２８に接続する。通常図１に示すようなフォトカプラ８を介して接続するガス漏れ警報器２が接続される。この時のガス漏れ警報器２の接続検知及びガス漏れ信号検出方法を説明する。定期的に警報器接続検知間欠駆動手段１９により端子台２８のマイナス端子を経由してガス漏れ警報器２のフォトダイオード８ｂのアノード側に駆動信号が供給される。駆動信号はフォトダイオード８ｂのカソードを介して端子台２８のプラス端子を介して警報器接続入力手段２０に信号が出力される。駆動信号がフォトダイオード８ｂを経由して警報器接続入力手段２０に入ると警報器接続判定手段２１で警報器接続と判定し、異常判定手段２２に出力する。ここでガス漏れ警報器２が未接続の場合、駆動信号はマイナス端子を介して警報器接続入力手段２０に到達しないので、接続検知時と逆の論理信号が警報器接続判定手段２１より出力される。この場合、未接続信号を異常判定手段２２に出力する。
【００１８】
異常判定手段２２にはガス器具の使用可能な制限時間がテーブルデータとして格納されている。この制限時間は警報器接続時は長く、又警報器未接続時は短く設定されており、ガス器具の使用時間を監視する際のしきい値は警報器接続判定手段２１の出力信号で選択される。流量検出手段２５で検出したガス器具の流量に応じて異常判定手段２２で器具使用時間の監視を行い、異常時遮断手段１２に遮断信号を出力しガス供給を停止する。
【００１９】
ガス漏れ警報器２からのガス漏れ信号は、警報器接続検知間欠駆動手段１９とは異なる周期で、定期的に警報信号間欠駆動手段１６を駆動することにより検出される。警報器接続状態において、まず警報信号間欠駆動手段１６で出力された駆動信号が端子台２８を介してフォトカプラ８のフォトトランジスタ８ａに供給される。非ガス漏れ時はフォトトランジスタ８ａがオフ状態であり、ガス漏れ時はフォトトランジスタ８ａがオン状態であり、ガス漏れ時は駆動信号がガス漏れ判定手段１８に到達し、非ガス漏れ時は到達しない。警報信号入力手段１７は警報信号間欠駆動手段１６が出力した駆動信号の到達の有無をお互い逆の論理信号として検知しガス漏れ判定手段１８に出力する。ガス漏れ判定手段１８は駆動信号の有無でガス漏れの有無を判定し、駆動信号到達時即ちガス漏れ検出時、異常と判定し遮断手段１２で遮断信号を出力する。その結果を報知手段２４で遮断内容を報知する。
【００２０】
更に駆動信号判定手段２３は定期的に接続された警報器の確認のために警報信号間欠駆動手段１６と及び警報器接続検知間欠駆動手段１９の駆動信号の出力状態を判定する。即ち本来接続されるべきフォトカプラ式ガス漏れ警報器か、ガス漏れ検知の有無を異なる２種の電圧信号として出力するガス漏れ警報器かを定期的に確認する。
【００２１】
まず駆動信号判定手段２３より警報信号間欠駆動手段１６と警報器接続検知間欠駆動手段１９とが共に駆動停止状態になっているかを判定し、駆動停止状態と検出した時、その時の警報器接続入力手段２０の信号を警報器接続判定手段２１に入力し判定する。即ち通常のフォトカプラ８のインタフェース回路でなる、本来接続可能なガス漏れ警報器２の場合、フォトトランジスタ８ａがオフ状態のままであり、警報器接続入力手段２０より警報器未接続状態と同じ信号が検出される。即ち警報器接続駆動手段１９が駆動信号出力した時のみ警報器接続信号が検出され、それ以外では検出されない。
【００２２】
ところが、市場においてガス漏れ警報器２より直接遮断手段２７を駆動できる信号を出力するガス漏れ警報器２が間違って端子台２８に接続されることがある。このような時定期的に警報器確認を行う駆動信号判定手段２３より警報信号間欠駆動手段１６と警報器接続検知間欠駆動手段１９とが共に駆動出力状態が停止状態であるのを検出すると、警報器接続入力手段２０より警報器接続信号を入力する。
【００２３】
電圧出力信号タイプのガス漏れ警報器２が接続されると端子台２８に対し、非ガス漏れ時第１の電圧レベル、例えば６Ｖ等が常時印加されており、ガス漏れ検知時第２の電圧レベル、例えば１２Ｖ等が出力される。従って警報器接続入力手段２０は、警報器接続検知間欠駆動手段１９より駆動信号が出力された時と同じ信号レベルが検出される。駆動信号判定手段２３で共に駆動信号が出力されない状態で警報器接続判定を行うが、本来警報器非接続となるはずが警報器接続信号を検出するので、即ち警報器接続手段２１より異種警報器接続信号が遮断手段１２へ出力され、ガス供給を停止する。その状態を報知手段２４で報知する。
【００２４】
このようにしてガス漏れ警報器２が間違って接続されても、警報信号間欠駆動手段１６や警報器接続検知間欠駆動手段１９より駆動信号を出力しないときに警報器接続信号を検出するので異種警報器接続と、即ち本来接続されるべきでない警報器を識別でき、かつガス供給を停止してガス需要家及びガス事業者に通知することができる。よって、ガスを使い続けることによりいつの間にか電池電源がなくなり、ガス器具使用時の異常を検出出来ないという不具合、危険性がなくなり、即座にガス漏れ警報器等の安全監視器具のメンテナンスを要求することが出来て安全性や信頼性が向上する。又電圧出力式警報器の場合、ガス漏れ検知しても警報信号入力手段１７で検出できず危険であったが警報器識別が可能となり、かつ利用者に通知でき安全性が向上する。
【００２５】
(実施例２)
図２は本発明の第２の実施例のガス遮断装置である。図２において、図１、図３及び図４と同一機能を有する構成要素には同一番号を付し説明は省略する。
【００２６】
ガス遮断装置３０中の２６は警告通報手段で、電話回線などを通じてガス事業者の保安監視センター等に本来接続されてはいけないガス漏れ警報器２が接続されている状態の通報を行う。又、逆にガス事業者よりガス漏れ警報器２の接続種類の確認を行える双方向通信機能を有している。
【００２７】
次に上記構成の動作を説明する。ガス遮断装置３０の端子台２８にガス漏れ警報器２を接続する。通常図２に示すようなフォトカプラ８を介して接続するガス漏れ警報器２が接続される。この時のガス漏れ警報器２の接続検知及びガス漏れ信号検出方法を説明する。定期的に警報器接続検知間欠駆動手段１９により端子台２８のマイナス端子を経由してガス漏れ警報器２のフォトダイオード８ｂのアノード側に駆動信号が供給される。駆動信号はフォトダイオード８ｂのカソードを介して端子台２８のプラス端子を介して警報器接続入力手段２０に信号が出力される。駆動信号がフォトダイオード８ｂを経由して警報器接続入力手段２０に入ると警報器接続判定手段２１で警報器接続と判定し、異常判定手段２２に出力する。ここでガス漏れ警報器２が未接続の場合、駆動信号はマイナス端子を介して警報器接続入力手段２０に到達しないので、接続検知時と逆の論理信号が警報器接続判定手段２１より出力される。この場合、未接続信号を異常判定手段２２に出力する。
【００２８】
異常判定手段２２にはガス器具の使用可能な制限時間がテーブルデータとして格納されており、制限時間は警報器接続時は長く、又警報器未接続時は短く設定されており、ガス器具の使用時間を監視する際のしきい値は警報器接続判定手段２１の出力信号で選択される。流量検出手段２５で検出したガス器具の流量に応じて異常判定手段２２で器具使用時間の監視を行い、異常時遮断手段１２に遮断信号を出力しガス供給を停止する。
【００２９】
ガス漏れ警報器２からのガス漏れ信号は、警報器接続検知間欠駆動手段１９とは異なる周期で、定期的に警報信号間欠駆動手段１６を駆動することにより検出される。警報器接続状態において、まず警報信号間欠駆動手段１６で出力された駆動信号が端子台１５を介してフォトカプラ８のフォトトランジスタ８ａに供給される。非ガス漏れ時はフォトトランジスタ８ａがオフ状態であり、ガス漏れ時はフォトトランジスタ８ａがオン状態であり、ガス漏れ時は駆動信号がガス漏れ判定手段１８に到達し、非ガス漏れ時は到達しない。警報信号入力手段１７は警報信号間欠駆動手段１６が出力した駆動信号の到達の有無をお互い逆の論理信号として検知しガス漏れ判定手段１８に出力する。ガス漏れ判定手段１８は駆動信号の有無でガス漏れの有無を判定し、駆動信号到達時即ちガス漏れ検出時、異常と判定し遮断手段１２で遮断信号を出力する。
【００３０】
更に駆動信号判定手段２３は定期的に接続された警報器の確認のために警報信号間欠駆動手段１６及び警報器接続検知間欠駆動手段１９の駆動状態を確認し異種警報器を確認できる状態かを判定する。即ち本来接続されるべきフォトカプラ式ガス漏れ警報器か、ガス漏れ検知の有無を異なる２種の電圧信号として出力するガス漏れ警報器かを定期的に確認する。
【００３１】
まず駆動信号判定手段２３より警報信号間欠駆動手段１６と警報器接続検知間欠駆動手段１９とが共に駆動停止状態かを判定し、その時の警報器接続入力手段２０の信号を警報器接続判定手段２１で入力し判定する。即ち通常のフォトカプラ８のインタフェース回路でなる、本来接続可能なガス漏れ警報器２の場合、フォトトランジスタ８ａがオフ状態のままであり、警報器接続入力手段２０より警報器未接続状態と同じ信号が検出される。即ち警報器接続駆動手段１９が駆動信号出力した時のみ警報器接続信号が検出され、それ以外では検出されない。
【００３２】
ところが、市場においてガス漏れ警報器２より直接遮断手段１２を駆動できる信号を出力するガス漏れ警報器２が間違って端子台１５に接続されることがある。このような時定期的に警報器確認を行う駆動手段判定手段２３より警報信号間欠駆動手段１６と警報器接続検知間欠駆動手段１９とが共に駆動出力停止状態であるのを検出すると、警報器接続入力手段２０より警報器接続信号を入力する。
【００３３】
電圧出力信号タイプのガス漏れ警報器２が接続されると端子台２８に対し、非ガス漏れ時第１の電圧レベル、例えば６Ｖ等が常時印加されており、ガス漏れ検知時第２の電圧レベル、例えば１２Ｖ等が出力される。従って警報器接続入力手段２０は、警報器接続検知間欠駆動手段１９より駆動信号が出力された時と同じ信号レベルが検出される。本来駆動信号判定手段２３で駆動信号が出力されない状態を検出した時に警報器接続判定を行うが、この時警報器接続状態信号を検出すると本来の接続すべきでない警報器が接続されていると判定し、そして警報器接続手段２１より異種警報器接続信号が警告通報手段２６へ出力され、ガス事業者に電話回線等の公衆回線を通信手段で伝達される。
【００３４】
このようにしてガス漏れ警報器２が間違って接続されても、警報信号間欠駆動手段１６と警報器接続検知間欠駆動手段１９とが共に駆動信号を出力していないのを検出した時、警報器接続信号を検出するので異種警報器接続と判定でき、即ち本来接続されるべきでない警報器と識別でき、かつガス漏れ警報器接続異常をガス需要家及びガス事業者に警告通知する。よって、ガスを使い続けることによりいつの間にか電池電源がなくなり、ガス器具使用時の異常を検出出来ないという不具合、危険性がなくなり、即座にガス漏れ警報器等の安全監視器具のメンテナンスを要求することが出来て安全性や信頼性が向上する。又電圧出力式警報器の場合、ガス漏れ検知しても警報信号入力手段１７で検出できず危険であったが警報器識別が可能となり、かつ利用者に通知でき安全性が向上する。
【００３５】
【発明の効果】
以上説明したように本発明の請求項１によれば、通常警報器接続検知間欠駆動手段で駆動信号を出力しかつガス漏れ警報器を駆動した時、警報器接続入力手段で警報器接続判定を行う。その際、駆動信号判定手段で駆動信号停止状態である時に電圧出力を行う異種警報器が接続されていると同様な警報器接続信号が出力されるが、本来非警報器接続信号レベルが入力されるのに対し警報器接続有信号が出力されるので、警報器接続判定手段で異種警報器と判定することが出来、更にガス流路を遮断するので、ガス需要家及びガス事業者にガス漏れ警報器接続異常を警告報知でき、いつの間にか電池電圧がなくなりガス遮断装置としてガス需要家の使用ガス器具の異常監視が出来なくなるという不具合がなくなり、常に警報器接続を含めガス漏れ等の異常監視を正確に行え信頼性や安全性が向上する効果がある。
【００３６】
又本発明の請求項２によれば、ガス漏れ警報器がガス遮断装置に接続された時、定期的に駆動信号判定手段より警報信号間欠駆動手段と警報器接続検知間欠駆動手段とが駆動停止状態かを判定しその時に警報器接続入力手段より出力される信号を警報器接続判定手段で異種警報器か否かを判定するので、通常警報器接続検知間欠駆動手段でガス漏れ警報器を駆動した時、警報器接続入力手段で警報器接続判定を行い、かつ電圧出力を行う異種警報器が接続された時も同様な警報器接続信号が出力されるが、駆動信号判定手段により警報信号間欠駆動手段と警報器接続検知間欠駆動手段とが共に駆動停止している時に警報器接続入力手段より信号を入力すると本来非警報器接続信号レベルが入力されるのに対し警報器接続有信号が出力されるので、警報器接続判定手段で異種警報器と判定することが出来、警告通報手段で警報報知してガス需要家及びガス事業者にガス漏れ警報器接続異常を警告報知でき、いつの間にか電池電圧がなくなりガス遮断装置としてガス需要家の使用ガス器具の異常監視が出来なくなるという不具合がなくなり、常に正しい警報器接続かを監視でき、ガス漏れ異常等の異常監視を正確に行え信頼性や安全性が向上する効果がある。
【図面の簡単な説明】
【図１】本発明の実施例１におけるガス遮断装置の制御ブロック図
【図２】本発明の実施例２におけるガス遮断装置の制御ブロック図
【図３】従来のガス遮断装置を示す制御ブロック図
【図４】従来の他のガス遮断装置を示す制御ブロック図
【符号の説明】
２    ガス漏れ警報器
１６  警報信号間欠駆動手段
１７  警報信号入力手段
１８  ガス漏れ判定手段
１９  警報器接続検知間欠駆動手段
２０  警報器接続入力手段
２１  警報器接続判定手段
２３  駆動信号判定手段
２６  警告通報手段
２７  遮断手段
３０  ガス遮断装置
【図１】
0004334739.tif 000002
【図２】
0004334739.tif 000003
【図３】
0004334739.tif 000004
【図４】
0004334739.tif 000005